(57)【要約】【課題】この発明は、生体組織の挟持操作により確実な凝固・切開を実現し得るようにして、使い勝手の向上を図り得るようにすることにある。【解決手段】プローブ１４の一部を覆うプローブカバー１５の先端部に該プローブ１４に対向してクランプ部１６の基端を回動自在に軸支し、このクランプ部１６の中間部を、弾性変形調整用の操作部１９４を設けたアーム１９を介してカバー１１に連結するように構成したものである。【選択図】      図１
2005296411.tif 000002
【特許請求の範囲】
【請求項１】
超音波振動を発生する超音波振動子と、
前記超音波振動子が内装される把持部と、
前記超音波振動子が発生した超音波振動を生体組織に伝達するブローブ部と、
前記プローブ部の一部を覆うプローブカバー部と、
前記プローブ部とで前記生体組織を挟持するもので、前記プローブカバー部に前記プローブに対向して回動自在に軸支されるクランプ部と、
前記クランプ部を前記プローブ部に対向して回動操作する操作部と、
を具備することを特徴とする超音波処置装置。
【請求項２】
前記操作部は、一端が前記クランプ部に回動自在に連結され、他端が前記把持部の基端に回動自在に連結されることを特徴とする請求項１記載の超音波処置装置。
【請求項３】
前記把持部に前記操作部に対向してスイッチを配し、前記操作部の操作位置に応じて選択的に切換設定するように構成したことを特徴とする請求項１又は２記載の超音波振動装置。
【請求項４】
前記把持部にスイッチを設け、前記操作部には、前記スイッチが出入り可能な開口が設けられることを特徴とする請求項２記載の超音波処置装置。
【発明の詳細な説明】
【技術分野】
【０００１】
この発明は、例えば外科手術等の手術において生体組織を凝固・切開するのに用いられる超音波処置装置に関する。
【背景技術】
【０００２】
一般に、開腹して外科手術を施す場合には、生体組織の凝固・切開を行う手段として超音波処置装置が用いられる。このような超音波処置装置は、超音波振動子で発振された超音波振動が増幅されて伝達されるプローブ部に対してクランプ部を接離操作自在に対向配置して、このプローブ部とクランプ部との間で生体組織を把持することで、その凝固・切開処置が行われる（例えば、特許文献１又は２参照）。
【特許文献１】特開２００１−５７９８５号公報
【特許文献２】特開２００２−１９６３４４号公報
【発明の開示】
【発明が解決しようとする課題】
【０００３】
しかしながら、上記超音波処置装置では、生体組織の所望の処置部位を、プローブ部とクランプ部で挟持した際に、その処置部位を、プローブ部よりも基端側である近位側において挟持してしまう虞があり、仮に、近位側で挟持してしまうと、その部位には、超音波振動による摩擦が発生しないため凝固・切開ができないことで、手術の進行を妨げる虞を有するため、使い勝手の点で満足の行くものでない。
【０００４】
この発明は上記の事情に鑑みてなされたもので、生体組織の凝固・切開の高精度な処置を容易に実現し得るようにして、使い勝手の向上を図った超音波処置装置を提供することを目的とする。
【課題を解決するための手段】
【０００５】
この発明は、超音波振動を発生する超音波振動子と、前記超音波振動子が内装される把持部と、前記超音波振動子が発生した超音波振動を生体組織に伝達するブローブ部と、前記プローブ部の一部を覆うプローブカバー部と、前記プローブ部とで前記生体組織を挟持するもので、前記プローブカバー部に前記プローブに対向して回動自在に軸支されるクランプ部と、前記クランプ部を前記プローブ部に対向して回動操作する操作部とを備えて超音波処置装置を構成した。
【０００６】
上記構成によれば、クランプ部は、操作部の操作に連動してプローブカバーに対して回動され、プローブカバーから露出されるプローブ部との間で生体組織を挟持することにより、生体組織の挟持範囲がプローブ部の近位側への食い込みが規制される。従って、クランプ部とプローブ部とによる挟持範囲が確実に定められるため、簡便にして容易に確実な凝固・切開処置を行うことが可能となる。
【発明の効果】
【０００７】
この発明によれば、生体組織の挟持操作により確実な凝固・切開を実現し得るようにして、使い勝手の向上を図った超音波処置装置を提供することができる。
【発明を実施するための最良の形態】
【０００８】
以下、この発明の実施の形態について、図面を参照して詳細に説明する。
【０００９】
（第１の実施の形態）
図１及び図２は、この発明の第１の実施の形態に係る超音波処置装置を示すもので、図１は、所期状態を示し、図２は、把持状態を示す。
【００１０】
即ち、振動子ユニット１０は、把持部を構成する例えば円筒状のカバー１１が被着され、このカバー１１内には、図示しない超音波振動子及びホーンが内装される。そして、このカバー１１の基端には、後カバー１２が被着され、この後カバー１２より上記超音波振動子（図示せず）に接続されるハンドピースコード１３が延出される。
【００１１】
このハンドピースコード１３には、図示しない電源装置が電気的に接続され、この電源装置（図示せず）を介して上記超音波振動子（図示せず）に電力が供給されて該超音波振動子（図示せず）が発振駆動される。この超音波振動子（図示せず）には、上記ホーン（図示せず）が接続される。このホーン（図示せず）は、上記超音波振動子（図示せず）で発振された超音波振動を増幅させて拡大し、拡大された振動を上記振動子ユニット１０のプローブ部を構成するプローブ１４に伝達する。
【００１２】
ホーン（図示せず）には、例えば上記プローブ１４が一体的に設けられ、拡大した振動を該プローブ１４に伝達する。このプローブ１４は、例えば基端側（近位側）から中間部までが、プローブカバー部であるプローブカバー１５により覆われて配される。例えば上記超音波振動子（図示せず）基端からプローブ１４先端までが、１波長分の長さに設定される。
【００１３】
また、上記プローブカバー１５は、基端部が上記カバー１１に取付けられ、その先端部には、クランプ部１６が支点ピン１７を介して回動自在に設けられる。このクランプ部１６には、把持部材１８が上記プローブ１４に対向して設けられ、この把持部材１８とプローブ１４との間で上記生体組織を挟持する。このうち把持部材１８は、一般的にはプローブ１４が磨耗するのを防ぐために、ＰＴＦＥ等の低摩擦係数の樹脂部材で形成される。
【００１４】
上記クランプ部１６の中間部には、支持部１６１が設けられ、この支持部１６１には、操作部を構成する回動操作用のアーム１９の一端が回動ピン２０を介して回動自在に連結される。このアーム１９は、例えばばね性を有する金属材料で図３及び図４に示すように一端方向に幅狭に形成されて端部に凹状の取付部１９１が形成され、この取付部１９１には、その両端部に挿通孔１９２が設けられる（図５参照）。そして、アーム１９は、その取付部１９１がクランプ部１６の支持部１６１を挟持するように対向配置された状態で、回動ピン２０が取付部１９１の挿通孔１９２を通して支持部１６１に設けられる挿通孔（図の都合上、図示せず）に挿入されて相互間が回動自在に取付けられる。
【００１５】
また、アーム１９の他端には、折曲部１９３が形成され、この折曲部１９３が、上記カバー１１と後カバー１２との間に挟装されて弾性変形自在に架設される。そして、このアーム１９の中間部には、例えば複数の凹部を所定の間隔に配した弾性変形調整用の操作部１９４が設けられる。これにより、アーム１９は、操作部１９４が矢印Ａ方向に押圧操作されると、そのばね力に抗して弾性変形してクランプ部１６を反時計方向に回動させてプローブ１４方向に移動させ、把持部材１８をプローブ１４に接触させる。そして、アーム１９は、操作部１９４の押圧操作が解除されると、そのばね力によりクランプ部１６を反転させて、把持部材１８をプローブ１４から離間させ、初期位置に復帰させる。
【００１６】
上記構成において、凝固・切開処置を施す場合には、術者が振動子ユニット１０のカバー１１を把持してアーム１９の操作部１９４に指を添えた図１に示すようにクランプ部１６がプローブ１４に対して大きく開いた状態で、これらプローブ１３を生体組織の所望の部位に位置を定める。
【００１７】
この状態で、アーム１９の操作部１９４に添えた指を矢印Ａ方向に押し込むと、アームが弾性変形して同方向に移動されることで、クランプ部１６が支点ピン１７を中心として反時計方向に回動されて、プローブ１４に接近されて生体組織に接触され、該プローブ１４との間で生体組織を挟持する。ここで、上述したように超音波振動子（図示せず）を駆動してプローブ１４に超音波振動を伝達することで、クランプ部１６の把持部材１８と協働して生体組織の凝固・切開処置が行われる。この際、生体組織は、クランプ部１６がプローブカバー１５に回動自在に支持された部位より、カバー１１方向に近位側に挟み込まれることが無いことにより、所望の組織のみの凝固・切開処置が施される。
【００１８】
次に、クランプ部がプローブに接触された状態からその操作部に添えた指の力を抜くと、アーム１９は、そのばね力により初期位置に復帰される（図１参照）。これにより、クランプ部は１６、図１に示すようにプローブ１４に対して大きく開いた状態となる。
【００１９】
このように、上記超音波処置装置は、プローブ１４の一部を覆うプローブカバー１５の先端部に該プローブ１４に対向してクランプ部１６の基端を回動自在に軸支し、このクランプ部１６の中間部を、弾性変形調整用の操作部１９４を設けたアーム１９を介してカバー１１に連結するように構成した。
【００２０】
これによれば、クランプ部１６は、アーム１９の操作部１９４の操作に連動してプローブカバー１５に対して回動され、プローブカバー１５から露出されるプローブ１４との間で生体組織を挟持することにより、生体組織の挟持範囲がプローブ１４の近位側への食い込みが規制される。この結果、クランプ部１６とプローブ１４とによる挟持範囲が確実に定められるため、簡便にして容易に確実な凝固・切開処置を行うことが可能となり、使い勝手の向上が図れて手術進行の迅速化を図ることが可能となる。
【００２１】
（第２の実施の形態）
図６及び図７は、この発明の第２の実施の形態に係る超音波処置装置を示すもので、上記第１の実施の形態と略同様の効果が期待される。但し、この図６及び図７においては、上記第１の実施の形態と同一の部分について同一符号を付して、その詳細な説明を省略する。
【００２２】
即ち、第２の実施の形態では、アーム１９の中間部に操作部を構成する指を挿入するリング部１９５を設け、このリング部１９５に術者の指を挿入してアーム１９を弾性変形操作するように構成したものである。このリング部１９５は、ゴムや樹脂材料等の弾性部材を、アーム１９の中間部に取付けることで形成される。
【００２３】
第２の実施の形態によれば、リング部１９５に指を挿入してアーム１９の弾性変形調整を行うことが可能となることにより、例えばクランプ部１６をプローブ１４に対して開く方向へも高精度な回動操作が容易にして高精度に行うことができるため、所謂、剥離操作においても簡便にして容易に高精度な操作を行うことが可能となる。
【００２４】
（第３の実施の形態）
図８は、この発明の第３の実施の形態に係る超音波処置装置を示すもので、上記第１の実施の形態と略同様の効果を期待することができる。但し、この図８においては、上記第１の実施の形態と同一部分について同一符号を付して、その詳細な説明を省略する。
【００２５】
この第３の実施の形態においては、上記カバー１１上に電源オン・オフ切換え用スイッチ２１を搭載し、アーム１９の背面側に操作用突起１９６をスイッチ２１の切換え操作部２１１に対向して設けるように構成したものである。
【００２６】
上記構成により、アーム１９の操作部１９４を矢印Ａ方向に押し込んでクランプ部１６を反時計方向に回動させ、その把持部材１８とプローブ１４との間で生体組織を挟持した状態で、アーム１９の突起１９６がスイッチ２１の切換え操作部２１１を押圧してオンさせる。すると、このスイッチ２１のオン信号に応動して上記超音波振動子（図示せず）が駆動されてプローブ１４に超音波振動を伝達され、クランプ部１６の把持部材１８と協働して生体組織の凝固・切開処置が行われる。これによれば、凝固・切開処置の簡便化が促進されて、使い勝手の向上が図れる。
【００２７】
（第４の実施の形態）
図９及び図１０は、この発明の第４の実施の形態に係る超音波処置装置を示すもので、上記第１の実施の形態と略同様の効果を期待することができる。但し、この図９及び図１０においては、上記第１及び第３の実施の形態と同一部分について同一符号を付して、その詳細な説明を省略する。
【００２８】
この第４の実施の形態においては、上記カバー１１上に電源オン・オフ切換え用スイッチ２１を搭載し、アーム１９には、スイッチ挿通用の開口１９７（図１０参照）を上記スイッチ２１の切換え操作部２１１に対向して設けるように構成したものである。
【００２９】
上記構成により、アーム１９の操作部１９４を矢印Ａ方向に押し込んでクランプ部１６を反時計方向に回動させ、その把持部材１８とプローブ１４との間で生体組織を挟持した状態で、アーム１９の開口１９７より突出されたスイッチ２１の切換え操作部２１１を切換え操作する。すると、このスイッチ２１のオン信号に応動して上記超音波振動子（図示せず）が駆動されてプローブ１４に超音波振動を伝達され、クランプ部１６の把持部材１８と協働して生体組織の凝固・切開処置が行われる。これによれば、凝固・切開処置の簡便化が促進されて、さらに使い勝手の向上が図れる。
【００３０】
また、第４の実施の形態では、例えば術者が指を、アーム１９の操作部１９４における開口１９７を覆うようにしておいて、アーム１９を矢印Ａ方向に弾性変形させてクランプ部１６の把持部材１８を生体組織に接触させ、プローブ１４との間で挟持した状態で、直ちにスイッチ２１の切換え操作部２１１の操作を行うことも可能となり、さらに使い勝手の向上を図ることが可能となる。そして、第４の実施の形態においては、アーム１９の弾性変形とスイッチ２１の切換え操作を独立に行うことが可能となるため、例えば処置具としての使用と共に、把持鉗子としての使用を容易に使い分けることが可能となり、使用形態の多様化が図れる。
【００３１】
なお、上記第３及び第４の実施の形態におけるスイッチ２１としては、例えば二段階スイッチ構造のものを用いて、その押し込み量に応じて、例えば低い出力あるいは最大出力に可変するように構成したり、無段階スイッチ構造のものを用いて、その押し込み量に応じて設定出力を無段階で切換え設定するように構成するこ
とが可能である。
【００３２】
また、上記第３及び第４のの実施の形態では、上述した第１の実施の形態と同様の操作部１９４を設けたアーム構造に適用した場合で説明したが、これに限ることなく、その他、上記第２の実施の形態と同様に中間部にリング部１９５を設けるようにしたアーム構造においても適用可能で同様の効果が期待される。
【００３３】
よって、この発明は、上記実施の形態に限ることなく、その他、実施段階ではその要旨を逸脱しない範囲で種々の変形を実施し得ることが可能である。さらに、上記実施の形態には、種々の段階の発明が含まれており、開示される複数の構成要件における適宜な組合せにより種々の発明が抽出され得る。
【００３４】
例えば実施の形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【００３５】
また、この発明は、上記各実施の形態によれば、その他、次のような構成を得ることもできる。
【００３６】
（付記１）
超音波振動を発生させる振動子と、この振動子を覆うと共に、把持するためのケーシングと、前記振動子の先端部に設けられ、該振動子からの超音波振動を拡大・伝達する伝達部と、この伝達部の先端部に設けられ、生体組識に接触して前記伝達部からの振動を前記生体組識に伝達するプローブ部と、前記ケーシングから遠位方向に延び、前記プローブ部を覆うシースと、前記ケーシングの基端に回動可能に連結されるアームと、前記プローブ部に対向して配設され、前記プローブ部との間に生体組識を挟み込むクランプ部を有し、前記クランプ部を回動させるためにアームに力を加える力点は、前記ケーシングとの回動部よりも先端である超音波処置装置において、
前記クランプ部は、シース部と回動自在に連結されていることを特徴とする超音波処置装置。
【００３７】
（付記２）
前記クランプ部は、アーム部とも回動自在に連結されていることを特徴とする付記１記載の超音波処置装置。
【００３８】
（付記３）
前記力点には、指を挿入できるリング部が設けられることを特徴とする付記１又は２記載の超音波処置装置。
【００３９】
（付記４）
前記ケーシングには、超音波出力用のスイッチが設けられ、前記アームのケーシング側の面には、前記スイッチに対向して突起が設けられ、前記クランプ部を閉じるために前記アームに力を加えると前記アームの突起が前記スイッチを押圧操作することを特徴とする付記１乃至３のいずれか記載の超音波処置装置。
【００４０】
（付記５）
前記ケーシングには、超音波出力用のスイッチが設けられ、前記アームには、前記スイッチに対向して開口が設けられることを特徴とする付記１乃至３のいずれか記載の超音波処置装置。
【００４１】
（付記６）
前記スイッチは、２段スイッチであり、押し込みの強弱で設定出力と最大出力に切換えが行われることを特徴とする付記４又は５記載の超音波処置装置。
【００４２】
（付記７）
前記スイッチは、無段階スイッチであり、押し込み量に応じて出力値が可変設定されることを特徴とする付記４又は５記載の超音波処置装置。
【００４３】
（付記８）
前記開口部は、前記力点付近に設けられていることを特徴とする付記５記載の超音波処置装置。
【００４４】
（付記９）
前記開口部以外に力を加えたとき、前記開口部からスイッチが突出し、超音波出力の入切が可能になることを特徴とする付記５乃至８のいずれか記載の超音波処置装置。
【００４５】
（付記１０）
超音波振動を発生させる超音波振動子と、
前記超音波振動子を覆う把持部と、
生体装置に超音波振動を伝達する、前記超音波振動子と接続されたプローブ部と、
前記プローブ部の一部を覆うプローブカバー部と、
前記プローブ部に対向して配設され、前記プローブ部との間に生体組識を挟み込むクランプ部と、
前記クランプ部を操作する操作部と、
前記クランプ部と前記プローブカバー部とを回動自在に軸支する軸支部と、
を有することを特徴とする超音波処置装置。
【００４６】
（付記１１）
前記操作部は、前記把持部の基端側に回動自在に設けられていることを特徴とする付記１０記載の超音波処置装置。
【図面の簡単な説明】
【００４７】
【図１】この発明の第１の実施の形態に係る超音波処置装置の外観構成を示した平面図である。
【図２】図１のクランプ部の挟持状態を示した平面図である。
【図３】図１をアーム上から見た状態を示した平面図である。
【図４】図３の要部を取り出して示した図である。
【図５】図１のアームの取付部を示した図である。
【図６】この発明の第２の実施の形態に係る超音波処置装置の外観構成を示した平面図である。
【図７】図６のリング部とプローブカバーとを正面から見た状態を示した図である。
【図８】この発明の第３の実施の形態に係る超音波処置装置の外観構成を示した平面図である。
【図９】この発明の第４の実施の形態に係る超音波処置装置の外観構成を示した平面図である。
【図１０】図９の要部を拡大して示した平面図である。
【符号の説明】
【００４８】
１０…振動子ユニット、１１…カバー、１２…後カバー、１３…ハンドピースコード、１４…プローブ、１５…プローブカバー、１６…クランプ部、１６１…支持部、１７…支点ピン、１８…把持部材、１９…アーム、１９１…取付部、１９２…挿通孔、１９３…折曲部、１９４…操作部、１９５…リング部、１９６…突起、１９７…開口、２０…回動ピン、２１…スイッチ、２１１…切換え操作部。
【図１】
2005296411.tif 000003
【図２】
2005296411.tif 000004
【図３】
2005296411.tif 000005
【図４】
2005296411.tif 000006
【図５】
2005296411.tif 000007
【図６】
2005296411.tif 000008
【図７】
2005296411.tif 000009
【図８】
2005296411.tif 000010
【図９】
2005296411.tif 000011
【図１０】
2005296411.tif 000012